(57)【要約】【課題】表示装置のメモリ要求を簡略化する。【解決手段】圧縮されたビデオ・データをデコーディングし、ビデオ・データによって表される画像をリサイズするビデオ処理装置１３は、メモリ２３を共有するデコーディング機関２４とスケーリング機関２５の２つの処理機関を有する。メモリ・マネジャ２２は２つの機関からのデータ要求を処理し、メモリ２２の読出し及び書込みを処理する。【選択図】図２
2008217018.tif 000002
【特許請求の範囲】
【請求項１】
圧縮されたビデオ・データを伝える入力信号を圧縮解除し，そのデータによって表された画像をリサイズするデジタル・ビデオ処理装置であって，
前記圧縮されたビデオ・データを圧縮解除するようプログラムされたデコーディング機関であって，それによって圧縮解除されたビデオ・データを提供するデコーディング機関と，
前記圧縮解除されたビデオ・データをスケーリングするようプログラムされたスケーリング機関と，
前記デコーディング機関と前記スケーリング機関により共有されるメモリであって，前記デコーディング機関に送る前の前記圧縮されたビデオ・データを蓄積し，前記スケーリング機関に送る前の前記圧縮解除されたビデオ・データを蓄積するメモリと，
前記デコーディング機関，前記スケーリング機関及び前記メモリとデータ通信するメモリ・マネジャとを含み，
前記デコーディング機関と前記スケーリング機関は，処理の必要に応じて前記メモリ・マネジャにデータ要求を発行するように構成され，
前記メモリ・マネジャは，前記データ要求に応答して前記共有されたメモリから前記デコーディング機関または前記スケーリング機関に要求されたデータを送り，さらに，前記メモリにデータを蓄積するためのアドレス信号を生成することが可能である，
デジタル・ビデオ処理装置。
【請求項２】
ある表示サイズの空間光変調器を含むビデオ表示装置であって，
圧縮されたビデオ信号を受取る信号インタフェースと，
それにより圧縮解除されたビデオ・データを提供する，前記圧縮されたビデオ・データを圧縮解除するようプログラムされたデコーディング機関と，それによりＹＣｂＣｒ画素データを提供する，前記圧縮解除されたビデオ・データを前記表示サイズに合うようにリサイズするようプログラムされたスケーリング機関と，前記デコーディング機関と前記スケーリング機関によってアクセス可能な共有メモリとを含み，前記デコーディング機関と前記スケーリング機関は処理の必要に応じてメモリ・マネジャにデータ要求を発行するように構成され，前記メモリ・マネジャは，前記データ要求に応答して前記共有メモリから前記デコーディング機関または前記スケーリング機関に要求されたデータを送り，さらに，前記メモリにデータを蓄積するためのアドレス信号を生成することが可能であり，
前記ＹＣｂＣｒ画素データをＲＧＢ画素データに変換することが可能な画質装置と，
前記ＲＧＢ画素データをビット平面フォーマットにフォーマットし，前記ＲＧＢ画素データを前記空間光変調器に送ることが可能なフレーム・バッファと，
前記ＲＧＢ画素データに基いて画像を表示することが可能な少なくとも１つの空間光変調器と，
前記画像を画像面に導くことが可能な表示光学装置と，
を含むビデオ表示装置。
【請求項３】
ある表示サイズの空間光変調器を有するビデオ表示装置に用いられる，圧縮解除されリサイズされたビデオ・データを提供する方法であって，
デコーディング機関，スケーリング機関，および前記デコーディング機関と前記スケーリング機関とにより共有されているビデオ処理メモリとの間のビデオ・データの流れを管理するためにメモリ・マネジャを使用し，
圧縮されたビデオ・データを伝える入力信号を受取り，
前記ビデオ処理メモリに前記圧縮されたビデオ・データを蓄積し，
前記デコーディング機関による要求を受けて前記ビデオ処理メモリから前記デコーディング機関に送られている前記圧縮されたビデオ・データを前記デコーディング機関を用いて圧縮解除し，それにより前記デコーディング機関が圧縮解除されたビデオ・データを提供し，
前記デコーディング機関から前記メモリ・マネジャへの要求を受けて，前記圧縮解除されたビデオ・データを前記ビデオ処理メモリに蓄積し，
前記スケーリング機関から前記メモリ・マネジャへの要求を受けて，前記ビデオ処理メモリから前記スケーリング機関に送られている前記圧縮解除されたデータを前記表示サイズに合うよう前記スケーリング機関を用いてスケーリングする
工程を含む方法。
【請求項４】
前記メモリが前記圧縮されたビデオ・データと前記圧縮解除されたビデオ・データを前記メモリ・マネジャに送る単一のデータポートを有する請求項１記載のデジタル・ビデオ処理装置。
【請求項５】
前記共有メモリが前記圧縮されたビデオ・データと前記圧縮解除されたビデオ・データを前記メモリ・マネジャに送る単一のデータポートを有する請求項２記載のビデオ表示装置。
【請求項６】
前記ビデオ処理メモリが前記圧縮されたビデオ・データと前記圧縮解除されたビデオ・データを前記メモリ・マネジャに送る単一のデータポートを有する請求項３記載の方法。
【発明の詳細な説明】
【技術分野】
【０００１】
本発明は、空間光変調器（ＳＬＭ）を用いる画像表示装置に関し、更に詳細には、画像を生成するため圧縮された入力信号をデコーディングし、ＳＬＭの表示サイズに合うよう画像をリサイズする集積回路に関連する。
【背景技術】
【０００２】
空間光変調器（ＳＬＭ）に基くビデオ表示装置が、陰極線管（ＣＲＴ）を用いた表示装置に代わるものとして、次第に用いられるようになってきている。ＳＬＭ装置は、ＣＲＴ装置のようにかさ張らず電力消費も多くなく、高解像度の表示をする。これらはデジタルの処理と表示との両方を備えるオール・デジタルである。言い換えれば、デジタル入力信号を受信し、又はアナログ信号を受信しデジタル化し、その後、デジタル形式のデータの処理及び表示をすることができる。
【０００３】
デジタル・マイクロミラー・デバイス（ＤＭＤ）はＳＬＭの一種であり、表示装置の用途に用いることができる。ＤＭＤは、電子信号で個別にアドレス指定することが可能な小さなミラーをそれぞれ持つマイクロ・メカニカル表示素子のアレイを有する。そのアドレス指定信号の状態に応じて、各ミラーが画像面に光を反射する又は反射しないように傾く。ミラーは、それらが生成する画像の画素に対応して「画素（pixel ）」と呼ばれることもあるが、より正しくは「表示素子」と呼ばれる。一般的に、画素データの表示は、表示素子に接続されたメモリセルをロードすることによって行われる。各メモリセルは、表示素子のオン又はオフ状態を表す１ビットのデータを受取る。表示素子は、制御された表示時間の間、そのオン又はオフ状態を保つことができる。
【０００４】
他のＳＬＭは、同時に光を放射又は反射させることのできる表示素子のアレイを持っており、同様の原理に基いて動作し、スクリーンを走査する代わりに、表示素子をアドレス指定することによって完全な画像が生成される。ＳＬＭの別の例は、個別に駆動される表示素子を有する液晶表示装置（ＬＣＤ）である。
【０００５】
あらゆるタイプのＳＬＭにおいて、動きの表示は、充分に早い速度でＳＬＭのメモリセルのデータを更新することによって行われる。白（オン）と黒（オフ）の間の中間レベルの照度（illumination）を達成するため、パルス幅変調（ＰＷＭ）技術が使われる。基本的なＰＷＭ方式には、最初に、観察者に画像を呈示する速度を決定することが含まれる。これによりフレーム速度及び対応するフレーム周期が定まる。例えば、標準テレビ装置では、画像は毎秒３０フレームで転送され、各フレームは約３３．３ミリ秒間持続する。次に、各画素に対する強度解像度が定められる。簡単な例では、解像度がｎビットであると仮定すると、フレーム時間は２ｎ−１個の等しい時間スライスに分割される。３３．３ミリ秒のフレーム周期で、ｎビット強度値の場合、時間スライスは３３．３／（２ｎ−１）ミリ秒である。
【０００６】
各フレームの各画素に対し、これらの時間が設定されるならば、黒は０個の時間スライスであり、ＬＳＢによって表される強度レベルは１個の時間スライスであり、そして最大輝度（brightness）は２ｎ−１個の時間スライスであるように、画素強度が量子化される。それぞれの画素の量子化された強度は、フレーム周期の間のオン時間を決定する。従って、フレーム周期の間、０より大きい量子化値を有する画素の各々は、その強度に対応する時間スライスの数の間、オンである。観察者の目は画素の輝度を積算（integrate ）し、画像がアナログレベルの光を発生しているのと同じように見える。
【０００７】
ＳＬＭをアドレス指定するため、ＰＷＭはデータが「ビット平面」にフォーマットされることを要求し、各ビット平面は強度値のビット重みに対応する。従って、各画素の強度がｎビット値で表される場合、データの各々のフレームはｎ個のビット平面を有する。各ビット平面は、それぞれの表示素子に対し０又は１の値を持つ。前記で説明したＰＷＭの例では、フレームの間、各ビット平面は別々にロードされ、表示素子はそれらに付随するビット平面の値に従ってアドレス指定される。例えば、各画素のＬＳＢを表すビット平面は１個の時間スライスの間表示され、これに対してＭＳＢを表すビット平面は２ｎ／２個の時間スライスの間表示される。
【発明の開示】
【発明が解決しようとする課題】
【０００８】
ＳＬＭはある一定の水平及び垂直の解像度の画像を表示するよう設計され、ＳＬＭに基くデジタル表示装置は、固定の画像サイズを有する。ＳＬＭのこの固定の画像サイズは、必ずしも入力信号の画像サイズと一致しない。この場合、画像はＳＬＭに合うようにリサイズされる必要がある。このリサイズには、特定の処理及びメモリが必要であり、結果として表示装置のコストが増大する。例えば、画像リサイズ装置の処理アルゴリズムは、同じラインを１度以上送ることのできる特定のライン・バッファを必要とする。
【０００９】
ＳＬＭベースの表示装置は更に、圧縮されたビデオ・データを伝える（carry）入力信号を受取る能力に関して、他のタイプの表示装置と歩調をそろえる必要もある。現在の圧縮解除プロセッサは、特定の圧縮解除プログラムを有する汎用プロセッサであるか、又はホスト・プロセッサと共に用いるよう設計された特定用途プロセッサのいずれかである。特にＳＬＭベースの装置と共に用いるよう設計されるプロセッサが必要とされている。
【課題を解決するための手段】
【００１０】
本発明の一つの態様は、圧縮されたビデオ・データを伝える入力信号を受取るデジタル・ビデオ処理装置である。これはビデオ・データを圧縮解除し、そのデータによって表される画像をリサイズする。処理装置は、圧縮解除のためのデコーディング機関（engine）とリサイズのためのスケーリング機関の２つの処理「機関」を有する。これらの機関は、デコーディング機関に送るための圧縮ビデオ・データを蓄積し、さらに、スケーリング機関に送るための圧縮解除後のビデオ・データを蓄積するメモリを共有する。メモリ・マネジャは、デコーディング機関、スケーリング機関及びメモリと通信する。メモリ・マネジャは、デコーディング機関およびスケーリング機関からの要求信号に応答して、必要とされるデータを提供する。これは更に、メモリにデータを蓄積するためのアドレス信号も生成する。
【発明の効果】
【００１１】
本発明の１つの利点は、デコーディング機関及びスケーリング機関によるメモリの共有により、表示装置のメモリ要求が簡略化されることである。特に、共有メモリがない場合には必要となり得る、デコーダ及び画像リサイズ装置の間の特定のライン・バッファが必ずしも必要ではない。
【実施例】
【００１２】
本発明の一実施例を図面を参照して説明する。
装置の概要
図１は、本発明に従ったオール・デジタル画像表示装置１０を示す。表示装置１０は、信号インタフェース１１、ビデオ処理装置１３、画質装置１４、フレーム・バッファ１５、空間光変調器（ＳＬＭ）１６、カラー・ホイール１７、表示光学装置１８、およびタイミング装置１９を有する。図１は、表示装置のメイン・スクリーンのビデオ処理および表示に重要な表示装置の構成部品のみ示している。同期化信号、音響信号、クローズド・キャプション化などの二次的スクリーン特性、又はグラフィックスの表示などを処理するために用いられるような他の構成部品は示されていない。次の記述は主にビデオ処理装置１３に関する。
【００１３】
この説明のため、装置１０はＤＭＤ形式のＳＬＭ１６を有する。本発明の特性を除くＤＭＤベースの表示装置の包括的な説明は、米国特許番号第５，０７９，５４４号、発明の名称「標準個別デジタル化されたビデオ装置（Standard Independent Digitized Video System ）」、米国特許出願番号０８／１４７，２４９、発明の名称「デジタル・テレビジョン・システム」、及び米国特許番号第５，４５２，０２４号、発明の名称「ＤＭＤディスプレイ・システム」に開示されており、いずれもテキサス・インスツルメンツ・インコーポレイテッドに譲渡され、参照のためここに引用した。装置１０は、ＬＣＤなど他のタイプのＳＬＭと共に用いることも可能である。
【００１４】
信号インタフェース１１は、提案されたアドバンスト・テレビジョン（ＡＴＶ）標準によって提供されるデジタル・ビット・ストリームなどのデジタル入力信号を受取る。この説明のため、入力信号は圧縮されたデータ信号であると仮定する。例示のため、このデータはＭＰＥＧ標準に従って圧縮され、その標準と一致するデータ及びタイミング情報を有すると仮定する。ＭＰＥＧ標準に従い、データはＹＣｂＣｒ（色差）フォーマットである。しかし、本発明は他の方法で圧縮されたデータを受取る装置に用いることが可能である。信号インタフェース１１への入力信号は、テレビ・チューナー、データ・メモリ・デバイス又はコンピュータ・ネットワークを介したものなど種々のソースの任意の１つから送られ得る。
【００１５】
信号インタフェース１１は、音響信号及びタイミング信号と同様、圧縮されたビデオ・データを提供するよう、入力信号をマルチプレクス解除(demultiplex)し、バッファする。信号インタフェース１１は、これらのタスクを実行するための適切なフィルタ及びメモリを有する。例えば、ＭＰＥＧビット・ストリームでは、転送層（transport layer ）のマルチプレクス解除をすることが必要となる。
【００１６】
ビデオ処理装置１３は、圧縮されたビデオ・データを信号インタフェース１１から受取る。図２に関連して以下に説明するように、ビデオ処理装置１３は、データを圧縮解除し、ＳＬＭ１６の表示解像度に合うように結果の画像をスケーリング（リサイズ）する。
【００１７】
画質装置（ＰＱＵ）１４は、圧縮解除され、スケーリングされたビデオ・データをビデオ処理装置１３から受取る。このデータは「ＹＣｂＣｒ画素データ」と呼ぶことができる。ＰＱＵ１４は、色空間（color space ）変換およびガンマ補正解除（de-gamma）などのタスクを行う。色空間変換は、ＹＣｂＣｒデータをＲＧＢデータに変換する。データは、転送でビデオ信号に成されるガンマ補正の効果を取除くことによってＲＧＢデータを線形化するガンマ補正解除工程も実行され得る。ＰＱＵ１４は更に、量子化雑音（artifact）を減少させるため誤差拡散（error diffusion ）を実行し得る。
【００１８】
フレーム・バッファ１５は、処理された画素データをＰＱＵ１４から受取る。これはデータを「ビット平面」形式にフォーマットし、ビット平面をＳＬＭ１６に１度に１つ送る。背景で説明したように、ビット平面フォーマットにより、１ビットのデータの値に応答して、ＳＬＭ１６の表示素子の各々がオン又はオフすることが可能となる。このフォーマットは、フレーム・バッファ１５に関連するハードウェアによって行われる。
【００１９】
典型的な表示装置１０において、フレーム・バッファ１５は、少なくとも２つの表示フレームに対する容量を有することを意味する「２重バッファ」メモリを有する。別の表示フレームに対するバッファが書込み中である間、１つの表示フレームに対するバッファをＳＬＭ１６に読出すことができる。２つのバッファは、ＳＬＭ１６に対しデータが継続して利用可能であるように、「ピンポン」方式で制御される。
【００２０】
フレーム・バッファ１５からのビット平面データはＳＬＭ１６に送られる。適切なＤＭＤ形式のＳＬＭ１６の詳細は、テキサス・インスツルメンツ・インコーポレイテッドに譲渡された米国特許番号第４，９５６，６１９号、発明の名称「空間光変調器」に記載されており、参照のためここに引用する。本質的には、ＳＬＭ１６はビット平面バッファ１５からのデータを用い、その表示素子アレイの各表示素子をアドレス指定する。表示素子のそれぞれの「オン」又は「オフ」状態が画像を形成する。フレーム周期の間、ＳＬＭ１６は映像（picture ）の３つの異なる色（赤、緑、青）のそれぞれの画像を生成する。これらの３つの画像は、カラー・ホイール１７を介して連続して（sequentially）表示される。観察者の目は連続した画像を積算し、観察者はフルカラーの画面を知覚する。
【００２１】
表示光学装置１８は、ＳＬＭ１６から画像を受取るため、及びその画像をスクリーン又は他の画像面へ投射するため、ＳＬＭ１６を照射する光学系構成要素を有する。これらの構成要素は、光源、照射パス光学系、及び投射レンズを含む。
【００２２】
他の実施例において、これらのＳＬＭは、赤、緑、青などの３つの色の画像を共に表示するため用いられ得る。これらの画像は光学的に組み合わされ、観察者はフルカラー画像であると知覚し得る。更に別の実施例では、連続した又は組み合わされた異なる色の画像に２つのＳＬＭを用いることもできる。
【００２３】
マスタ・タイミング装置１８は種々の装置制御機能を提供する。タイミング装置１８は、フィールド・プログラマブル・ゲート・アレイ（ＦＰＧＡ）を用いて構成され得、異なるフレーム解像度及びフレーム速度を取り扱う。
【００２４】
ビデオ処理装置
図２は、デジタル・ビデオ処理装置１３のブロック図である。以下に説明するように、ビデオ処理装置１３は、圧縮解除操作と画像リサイズ操作を兼ね備える。個別の処理機関２４及び２５は、まず圧縮解除し、その後リサイズし、これらの操作を行う。これらの機関２４及び２５は、操作されるデータを蓄積するメモリ２３を共有する。要求駆動型メモリ・マネジャ２２は、機関２４及び２５のそれぞれに適切な時間に適切なデータを供給するタスクを行う。
【００２５】
本発明の特性は、ビデオ処理装置１３の構成要素が、それらを集積回路で製造することが可能なように設計されることである。例えば、処理機関２４及び２５及びメモリ・マネジャ２３は、１つの集積回路として製造され得る。この種の回路はＡＳＩＣ（特定用途向け集積回路）と呼ばれることがあり、その用途はデジタル画像データの圧縮解除及びリサイズを含む。他の例として、メモリ２３は、ビデオ処理装置１３全体が単一集積回路であるような「オン・チップ」であってもよい。
【００２６】
種々の制御信号を取り扱うため、制御インタフェース２１が含まれ得る。例えば、制御インタフェース２１は、スクリーン上表示をサポートする又はピクチャ・イン・ピクチャのスケーリングを無視（override）する信号を受取り、処理する。制御インタフェース２１は、それが含まれている場合、典型的に装置１０のメイン・システム・プロセッサにインタフェースし得る。
【００２７】
メモリ・マネジャ２２は、圧縮されたビデオ・データを受取り、それをメモリ２３に蓄積する。メモリ・マネジャ２２は、適当な時間に適当なデータをデコーディング機関２４及びスケーリング機関２５に提供するタスクを行う。メモリ・マネジャ２２の特定のタスクは以下の通りである。圧縮されたデータをインタフェース１１から抽出し、それをメモリ２３に蓄積し、圧縮されたデータをメモリ２３からデコーディング機関２４へ移動させ、圧縮解除されたデータをデコーディング機関２４からメモリ２３へ戻し、圧縮解除されたデータをメモリ２３からスケーリング機関２５へ移動させ、デコーディング機関２４及びスケーリング機関２５からのデータ要求の衝突を調停する。
【００２８】
メモリ・マネジャ２２は、デコーディング機関２４及びスケーリング機関２５からのデータの要求に応答してこれらの機関にデータを送るという点で、要求駆動型である。メモリ・マネジャ２２はハード・コードされたマイクロ・コントローラとして実行され得る。
【００２９】
メモリ２３は、従来のダイナミック・ランダム・アクセス・メモリ・デバイス（ＤＲＡＭ）から構成され得る。メモリ２３の大きさは、画像解像度や圧縮率などの種々の要因に関連する。典型的にメモリ２３は、圧縮された読出しデータのフレーム、処理されるフレームの少なくとも一部と、圧縮解除された読出しデータのフレームの少なくとも一部とを同時に蓄積することができるように充分大きい。メモリ２３の典型的なサイズは、標準鮮明度（definition）信号に対し１６メガ・ビットであり得る。
【００３０】
メモリ・マネジャ２２とメモリ２３との間のメモリ・バス２２ａは、メモリ２３の読出し及び書込みに必要なデータ、アドレス及び制御信号を伝える。この制御信号は、書込み可能及び列および行アドレス・ストローブを含む。
【００３１】
デコーディング機関２４は、ビデオ・データを圧縮解除するようプログラムされる。これは、ＪＰＥＧ，ＭＰＥＧ，ＭＰＥＧ２，Ｐｘ６４，ＣＣＩＴＴなどの種々の圧縮標準をサポートするようプログラムされ得る。このプログラムは、静止又はフルモーション圧縮解除アルゴリズムのいずれに用いることも可能である。デコーディング機関２４は、マルチ・フォーマットのデコーディング機関であり得、入力信号に適する任意の圧縮解除方法が行われるように圧縮解除アルゴリズム間でスイッチ可能であり得る。デコーディング機関２４の出力は、圧縮解除された画素データであり、この説明の例では、ＹＣｂＣｒフォーマットである。
【００３２】
適当なデコーディング機関２４の例は、Ｃ・キューブ・マイクロシステムズによって製造されたＣＬ４５０  ＭＰＥＧ  ビデオ・デコーダのデコーディング機関である。これは、入力信号に対応した画像サイズを有する圧縮解除されたＹＣｒＣｂデータを提供する。
【００３３】
デコーディング機関バス２２ｂは、デコーディング機関２４とメモリ・マネジャ２２との間で制御情報及びデータを伝える。制御情報は、処理に必要とされるデータを要求するデコーディング機関２４からのデータ要求を含む。要求に応答して、メモリ・マネジャ２２は、デコーディングされる次のデータのアドレスを生成し、メモリ２３からデータをリトリーブし、それをデコーディング機関２４へ送る。バス２２ｂは双方向であり、圧縮解除後デコーディング機関２４はデータをメモリ・マネジャ２２へ戻し、メモリ・マネジャ２２はそれをメモリ２３へ蓄積するためのアドレスを生成する。
【００３４】
スケーリング機関２５は、圧縮解除されたビデオ・データ上で動作する。本来、スケーリング機関２５は、画像をＳＬＭ１６の表示サイズ（解像度）にリサイズするように画像をスケーリングするようプログラムされたプロセッサである。背景に説明したように、ＳＬＭ１６は、必ずしも入力信号の解像度と一致する表示解像度を持つ必要はない。例えば、典型的なＳＬＭ１６は、１２８０×１０２４の表示解像度を有し得るが、一方、ＨＤＴＶではフル転送解像度は１９２０×１０８０画素である。スケーリング機関２５は、いずれか又は両方の方向でＳＬＭの大きさに合うように入力信号を拡大又は縮小する。水平方向のスケーリングはライン毎のアクティブ画素の数を変え、垂直方向のスケーリングはフレーム毎のアクティブ・ラインの数を変える。補間又はＦＩＲフィルタリングを用いるような種々のスケーリング・アルゴリズムが画像処理の技術において周知である。
【００３５】
スケーリング処理の一例として、デコーディング機関２４からの圧縮解除されたデータによって表される画像は、垂直方向及び水平方向の両方で、ＳＬＭ１６の表示サイズより小さいかもしれない。垂直方向のスケーリングでは、スケーリング機関２５は現在の画像に隣接するラインをフィルタリングすることによってデータの新しいラインを生成し得、これらの隣接するラインを必要に応じて要求する。この処理の間、１度以上同じラインを必要とし得る。同様に、水平方向のスケーリングでは、スケーリング機関２５は、現在の画像に隣接する画素をフィルタリングすることによって新しい画素を生成し得、必要に応じてメモリ・マネジャ２２からのそれらを要求する。
【００３６】
スケーリング機関２５に、入力及び出力画像サイズ・パラメータが提供される。画像の出力サイズは、ＳＬＭ１６の表示サイズによって決定される。入力画像サイズは、圧縮されたビデオ・データ・ストリームからのこのデータをデコーディングするデコーディング機関２４によって提供される。
【００３７】
スケーリング機関バス２２ｃは、スケーリング機関２５とメモリ・マネジャ２２との間の制御信号及びデータを伝える。制御信号は、処理に必要とされるデータの要求を含む。スケーリング後、ビデオ・データはＰＱＵ１４に送られる。
【００３８】
適切なスケーリング機関２５の一例は、ジェネシス・マイクロチップ・インコーポレイテッドによって製造されたアキュイティ・リサイザ・デバイス（Acuity Resizer device）のスケーリング機関である。アキュイティ  ｇｍ８３３×２  デバイスは、２つの個別のチャネルでＦＩＲフィルタを用い、ＹＣｂＣｒデータ上で作動する。
【００３９】
図３はビデオ処理装置１３の別の実施例を示す。この実施例の特徴は、メモリ３３が２つのデータ出力ポートを有し、デコーディング機関２４へ又はスケーリング機関２５へ直接データを送ることである。高帯域要求を満たすために、デュアル出力ポートを用いることができる。図２の実施例と同様に、メモリ・マネジャ３２に送られた要求に応答して、データが送られる。メモリ・バス３２ａは、要求されたデータの宛先を示す信号を伝える。
【００４０】
図２の実施例と同様に図３のビデオ処理装置１３は、１つはデコーディング機関２４、スケーリング機関２５、及びメモリ・マネジャ３２用、もう１つはメモリ３３用の、２つの集積回路として容易に製造することができる。代わりに、ビデオ処理装置１３は、単一集積回路として製造することも可能である。
【００４１】
他の実施例
本発明を詳細に説明したが、特許請求の範囲によって定められた本発明の範囲内でこの実施例に種々の変形、代替及び変更を加えることができることは言うまでもない。
【００４２】
以上の説明に関して更に次の項を開示する。
（１）  圧縮されたビデオ・データを伝える入力信号を圧縮解除し、そのデータによって表された画像をリサイズするデジタル・ビデオ処理装置であって、
前記圧縮されたビデオ・データを圧縮解除するようプログラムされたデコーディング機関であって、それによって圧縮解除されたビデオ・データを提供するデコーディング機関と、
前記圧縮解除されたビデオ・データをスケーリングするようプログラムされたスケーリング機関と、
前記デコーディング機関に送る前の前記圧縮されたビデオ・データを蓄積し、前記スケーリング機関に送る前の前記圧縮解除されたビデオ・データを蓄積するメモリと、
前記デコーディング機関、前記スケーリング機関及び前記メモリとデータ通信するメモリ・マネジャであって、前記メモリ・マネジャは、前記デコーディング機関から及び前記スケーリング機関からのデータ要求信号に応答して動作することが可能であり、前記メモリにデータを蓄積するためのアドレス信号を生成することが可能であるメモリ・マネジャと
を含むデジタル・ビデオ処理装置。
【００４３】
（２）  第１項に記載のビデオ処理装置であって、前記デコーディング機関、前記スケーリング機関及び前記メモリ・マネジャは、単一集積回路であるビデオ処理装置。
（３）  第１項に記載のビデオ処理装置であって、前記ビデオ処理装置は、単一集積回路であるビデオ処理装置。
（４）  第１項に記載のビデオ処理装置であって、前記メモリは、前記圧縮されたビデオ・データを前記デコーディング機関に送る第１の出力ポートと、前記圧縮解除されたビデオ・データを前記スケーリング機関に送る第２の出力ポートとを有するビデオ処理装置。
（５）  第１項に記載のビデオ処理装置であって、前記メモリは、前記圧縮されたビデオ・データ及び前記圧縮解除されたビデオ・データを前記メモリ・マネジャに送る単一データ・ポートを有するビデオ処理装置。
（６）  第１項に記載のビデオ処理装置であって、前記圧縮されたビデオ・データはＭＰＥＧ標準に従って圧縮され、前記デコーディング機関はＭＰＥＧ圧縮解除を実行するようプログラムされるビデオ処理装置。
（７）  第１項に記載のビデオ処理装置であって、前記圧縮されたビデオ・データはＹＣｂＣｒフォーマットであるビデオ処理装置。
（８）  第１項に記載のビデオ処理装置であって、前記デコーディング機関は、前記圧縮されたビデオ・データからの入力画像サイズ・データをデコーディングするようプログラムされ、前記入力画像サイズ・データを前記スケーリング機関に送る前記スケーリング機関とデータ通信するビデオ処理装置。
【００４４】
（９）  ある表示サイズの空間光変調器を含むビデオ表示装置であって、
圧縮されたビデオ信号を受取る信号インタフェースと、
それにより圧縮解除されたビデオ・データを提供する、前記圧縮されたビデオ・データを圧縮解除するようプログラムされたデコーディング機関と、それによりＹＣｂＣｒ画素データを提供する、前記圧縮解除されたビデオ・データを前記表示サイズに合うようにリサイズするようプログラムされたスケーリング機関と、前記デコーディング機関と前記スケーリング機関によってアクセス可能な共有メモリと、
前記ＹＣｂＣｒ画素データをＲＧＢ画素データに変換することが可能な画質装置と、
前記ＲＧＢ画素データをビット平面フォーマットにフォーマットし、前記ＲＧＢ画素データを前記空間光変調器に送ることが可能なフレーム・バッファと、
前記ＲＧＢ画素データに基いて画像を表示することが可能な少なくとも１つの空間光変調器と、
前記画像を画像面に導くことが可能な表示光学装置と、
を含むビデオ表示装置。
（１０）  第９項に記載のビデオ表示装置であって、前記デコーディング機関及び前記スケーリング機関は単一集積回路であるビデオ表示装置。
（１１）  第９項に記載のビデオ表示装置であって、前記ビデオ処理装置は単一集積回路であるビデオ表示装置。
（１２）  第９項に記載のビデオ表示装置であって、前記メモリは、前記圧縮されたビデオ・データを前記デコーディング機関に送る第１の出力ポートと、前記圧縮解除されたビデオ・データを前記スケーリング機関に送る第２の出力ポートとを有するビデオ表示装置。
（１３）  第９項に記載のビデオ表示装置であって、前記ビデオ処理装置は更に、要求駆動型メモリ・マネジャを含むビデオ表示装置。
【００４５】
（１４）  第１３項に記載のビデオ表示装置であって、前記第１のプロセッサ、前記第２のプロセッサ及び前記メモリ・マネジャは単一集積回路であるビデオ表示装置。
（１５）  第１３項に記載のビデオ表示装置であって、前記メモリは、前記圧縮されたビデオ・データ及び前記圧縮解除されたビデオ・データを前記メモリ・マネジャに送る単一データ・ポートを有するビデオ表示装置。
（１６）  第９項に記載のビデオ表示装置であって、前記圧縮されたビデオ・データはＭＰＥＧ標準に従って圧縮され、前記デコーディング機関はＭＰＥＧ標準圧縮解除を実行するようプログラムされるビデオ表示装置。
【００４６】
（１７）  ある表示サイズの空間光変調器を有するビデオ表示装置に用いられる、圧縮解除されリサイズされたビデオ・データを提供する方法であって、
圧縮されたビデオ・データを伝える入力信号を受取り、
ビデオ処理メモリに前記データを蓄積し、
前記ビデオ処理メモリから送られている前記圧縮されたビデオ・データを圧縮解除し、それにより圧縮解除されたビデオ・データを提供し、
前記圧縮解除されたデータを前記ビデオ処理メモリに蓄積し、
前記ビデオ処理メモリから送られている前記圧縮解除されたデータを前記表示サイズに合うようスケーリングする
工程を含む方法。
（１８）  第１７項に記載の方法であって、前記圧縮されたビデオ・データ及び前記圧縮解除されたビデオ・データは、前記圧縮解除する及びスケーリングする工程中のデータの要求に応答して送られる方法。
（１９）  第１７項に記載の方法であって、前記圧縮解除する工程は入力画像サイズ・データを生成し、前記スケーリングする工程は前記入力画像を用いることによって実行される方法。
【００４７】
（２０）  圧縮されたビデオ・データをデコーディングし、ビデオ・データによって表される画像をリサイズするビデオ処理装置１３。ビデオ処理装置１３は、メモリ２３を共有するデコーディング機関２４とスケーリング機関２５の２つの処理機関を有する。メモリ・マネジャ２２は２つの機関からのデータ要求を処理し、メモリ２２の読出し及び書込みを処理する。
【図面の簡単な説明】
【００４８】
【図１】フルカラー、フルモーションの表示を提供する空間光変調器を用い、本発明に従ったビデオ処理装置を有する、デジタル画像表示装置のブロック図。
【図２】図１のデジタル・ビデオ処理装置のブロック図。
【図３】図１のデジタル・ビデオ処理装置の別の実施例のブロック図。
【符号の説明】
【００４９】
１３  ビデオ処理装置
２１  制御インタフェース
２２  メモリ・マネジャ
２２ａ，２２ｂ，２２ｃ  バス
２３  共有メモリ
２４  デコーディング機関
２５  スケーリング機関
【図１】
2008217018.tif 000003
【図２】
2008217018.tif 000004
【図３】
2008217018.tif 000005